(57)【要約】【課題】屋外に設置される電気機器収納用箱体において、外観の体裁が良好で、雨水浸水防止用パッキンの反発力に対して、容易に扉を閉めることができる電気機器収納用箱体を提供する。【解決手段】電気機器収納用箱体の本体１９には、本体１９の側端部に、扉２０に当接する面には、雨水浸入防止用のパッキン２１を備え、扉２０の内郭正面には、扉２０の鉛直方向に空いた丸穴を備えた軸受け２２と、軸受け２２の丸穴に嵌合し扉２０の鉛直方向に伸びた円柱状の軸２３と、軸２３と嵌合し扉２０の側面となる外郭２４を備え側面に部材２５を備えた可動部２６を備えている。【選択図】図１
2009055651.tif 000002
【特許請求の範囲】
【請求項１】
外周部にパッキンが配置された開口部を備えた本体と、前記本体の側端部に配設された扉蝶番を軸に開閉する扉と、前記扉の前記扉蝶番の反対となる側端部に配置され穴を備えた軸受け部と、前記軸受け部と嵌合し側面に突起部を設けた軸部と、前記軸受け部の穴に対向する穴と扉の外郭の一部を備え前記軸部の突起部に相対する溝を備えた可動部を備え、前記可動部が回動し前記可動部の溝が前記軸部の突起部と相対し前記軸部が自重により移動し、前記可動部の溝と前記軸部の突起部が嵌合することにより前記可動部が固定されることを特徴とする電気機器収納用箱体。
【請求項２】
前記可動部の前記軸部の突起部と相対する前記溝の幅が前記軸部の前記突起部と近接する面より遠い方が幅が広い溝を備え、前記可動部が回動し前記可動部の溝が前記軸部の突起部と相対し前記軸部が自重により移動し、前記可動部の溝と前記軸部の突起部が嵌合することにより前記可動部が固定されることを特徴とする請求項１に記載の電気機器収納用箱体。
【請求項３】
前記電気機器収納用箱体において、前記可動部が回動し前記可動部の溝が前記軸部の突起部と相対し、前記軸部がバネ等の外力により移動する請求項１または請求項２に記載の電気機器収納用箱体。
【発明の詳細な説明】
【技術分野】
【０００１】
本発明は、屋内外に設置される配電盤、分電盤、制御盤、表示装置などの電気機器収納用箱体に関し、特に雨水などから内部の電気回路を守るための扉の水密構造に関するものである。
【背景技術】
【０００２】
従来、屋内外で設置される配電盤や分電盤などの電気機器収納用箱体は、保守のため、前面に扉が設けられている。
【０００３】
また、このような電気機器収納用箱体は、雨水の浸入を防止する目的で、扉または本体の外周に本体内部への雨水浸入を防止する目的でウレタン発泡やシリコン等のパッキンが設けられている。
【０００４】
また、近年では、本体内部に配設される電気機器の取り付けスペースの拡大を図りながら、正面から見た外観の体裁の向上を図る技術が公開されている（例えば、特許文献１）。
【０００５】
図１２は、このような電気機器収納用箱体を示す斜視図であり、電気機器収納用箱体１３は、電気機器が収納された箱体本体１７と、箱体本体１７の開口部を覆う扉１４と、扉１４の一側端部の所望の箇所に設けた扉蝶番（図示せず）と、扉蝶番が設けられていない側の側面部１８の中央に配設された平面ハンドル１５と、扉１４につまみ１６とを備えたものである。
【０００６】
以上の構成により、平面ハンドル１５が、本体１７の側面部１８に設けられているため、本体１７の内部における回路基板等の電気機器の取り付けスペースが拡大され、更に、扉１４の前面から見た外観の体裁も良好になるというものである。
【特許文献１】特開２０００−３１６２０８号公報
【発明の開示】
【発明が解決しようとする課題】
【０００７】
しかしながら、前記従来の構成では、比較的小型の電気機器収納用箱体においては有効であるが、特に扉の水密構造が必要となる大型の電気機器収納用箱体においては、雨水浸入防止用のパッキンが大きくなり、パッキン圧縮時の反発力が大きくなるため、平面ハンドルの操作時に大きな力を必要とし、メンテナンス時の作業性が悪いという課題を有していた。また、前記課題に対する対応としては、平面ハンドルを複数設けることも考えられるが、平面ハンドル自体が特殊な部品であるため、コストが高くなるという新たな課題と複数の平面ハンドルを操作する必要があることからメンテナンスの時間が掛かるという課題が新たに発生する。また、電気機器収納用箱体の設置条件により四方から見られるものにおいては体裁が良好とはいえない。また、単純な平面ハンドルは解除ボタンを押しハンドルを回すだけで扉の解除ができる。よっていたずら防止のため鍵付きのものが用いられてはいるが鍵の管理のわずらわしさや鍵の紛失時の対応に時間が掛かるなどの問題がある。
【０００８】
本発明は、前記従来の課題を解決するもので、外観の体裁が良好であることに加え、扉を閉める際に大きな力を必要とすることなく容易に閉めることができ、大型の電気機器収納用箱体においても水密構造を安価に実現することができ、鍵等の別管理の必要な部材が不要でいたずら防止ができる電気機器収納用箱体を提供することを目的とする。
【課題を解決するための手段】
【０００９】
前記従来の課題を解決するために、本発明の電気機器収納用箱体は外周部にパッキンが配置された開口部を備えた本体と、前記本体の側端部に配設された扉蝶番を軸に開閉する扉とを備え、前記扉の前記扉蝶番の反対となる側端部に配置され穴を備えた軸受け部と、前記軸受け部と嵌合し側面に突起部を設けた軸部と、前記軸受け部の穴に対向する穴と扉の外郭の一部を備え前記軸部の突起部に相対する溝を備えた可動部を備え、前記可動部が回動し前記可動部の溝が前記軸部の突起部と相対し前記軸部が自重により移動し、前記可動部の溝と前記軸部の突起部が嵌合することにより前記可動部が固定される。
【００１０】
本構成によれば、扉を本体に嵌合させる際、可動部に設けた外郭の一部を押し可動部を回動させることにより雨水浸入防止用のパッキンに圧縮力が加わる。さらに可動部に設けた外郭の一部を拡大し、軸部を回転軸とする可動部の回転半径を大きくすることで容易にパッキンが圧縮され扉を閉めることが可能となる。
【００１１】
また、外観上、突出する部分がなく、大きな穴もないため、体裁が良好である。
【００１２】
また、前記可動部の前記軸部の突起部と相対する前記溝の幅が前記軸部の前記突起部と近接する面より遠い方が幅が広い溝を備え、前記可動部が回動し前記可動部の溝が前記軸部の前記突起部と相対し前記軸部が自重により移動し、前記可動部の溝と前記軸部の前記突起部が嵌合することにより前記可動部が固定される。
【００１３】
本構成によれば、電気機器収納用箱体の運搬時の振動や屋外における風などによる振動により軸部と可動部の嵌合が解除されることを防止できる。
【００１４】
また、前記可動部が回動し前記可動部の溝が前記軸部の突起部と相対し前記軸部がバネ等の外力により移動し、前記可動部の溝と前記軸部の前記突起部が嵌合することにより前記可動部が固定される。
【００１５】
本構成によれば、自重が軽く落下しにくい軸部を備えた小型の電気機器収納用箱体においても容易に可動部と軸部が固定される。
【発明の効果】
【００１６】
本発明の電気機器収納用箱体によれば、体裁が良好で、さらに扉への部品の取付スペースが拡大すると共に扉を閉める際に生じる雨水浸入防止用のパッキンの反発力に対し、容易に扉を閉めることができる。
【００１７】
また、電気機器収納用箱体の運搬時の振動や屋外における風などによる振動により軸部と可動部の嵌合が解除されることが防止でき、扉が勝手に開いてしまうことを防ぐことができる。
【００１８】
また、扉を開けるためには軸部の操作とさらに可動部の回動が同時に必要となるため、いたずら防止をすることが可能となる。
【００１９】
また、小型の電気機器収納用箱体においても容易に扉の水密構造を実現することができる。
【発明を実施するための最良の形態】
【００２０】
以下本発明を実施するための最良の形態について、図面を参照しながら説明する。
【００２１】
（実施の形態１）
図１は、本発明の実施の形態１における電気機器収納用箱体に係る扉と本体の水密構造を示す要部断面図である。
【００２２】
図１に示されるように、本体１９の側端部に、扉２０に当接する面には、雨水浸入防止用のパッキン２１を備え、扉２０の内郭正面には、扉２０の鉛直方向に空いた丸穴を備えた軸受け２２と、軸受け２２の丸穴に嵌合し扉２０の鉛直方向に伸びた円柱状の軸２３と、軸２３と嵌合し扉２０の側面となる外郭２４を備え側面に部材２５を備えた可動部２６を備えている。
【００２３】
図２は図１の構成においての扉２０と本体１９の封鎖状態を示す要部断面図である。
【００２４】
図２に示されるように、外郭２４を回転方向Ａの方向に軸２３を回転軸として回動させると、可動部２６の部材２５が本体外郭面１９Ａと接触する。さらに回動を続けると、扉２０が本体背面方向Ｂの方向に移動し、パッキン２１が圧縮され、扉２０により本体１９の開口部が封鎖される。その際、外郭２４と本体１９の側面２７は同一面上に位置する。
【００２５】
図３は図２の状態における本発明の電気機器収納用箱体に係る扉と本体の封鎖状態を示す要部斜視図である。
【００２６】
図３に示されるように、可動部２６は軸受け２２の上に配置され、軸２３の側面には突起部２８が設けられている。また、可動部２６には軸２３の突起部２８に相対する溝２９が鉛直方向に突起部２８が嵌合できる幅で設けられている。
【００２７】
図４は図３の構成において軸受け２２と軸２３が嵌合し固定された封鎖完了状態を示す要部斜視図であり、可動部２６に設けた溝２９に軸２３の突起部２８が相対した状態で軸２３の自重により本体底面方向Ｃへ移動し、軸２３と可動部２６が嵌合し固定される。
【００２８】
かかる構成によれば、パッキン２１の圧縮時の反発力に対し、外郭２４の幅Ｄを大きくすることで軸２３を回転軸とした回転半径が大きくなり、小さな荷重でトルクを発生させパッキンを圧縮することができ、容易に扉２０を閉めることを可能にすることが出来る。
【００２９】
また、図５は、本発明の扉を開けた状態を示す斜視図であり、内部に電気機器３１などを備えた本体１９と、扉３３とを備え、本体１９と扉３３とは、複数の扉蝶番３２を回転軸とし開閉され、更に、本体１９の扉蝶番３２と反対となる側端部には、図１で説明した水密構造が設けられており、扉３３を閉めた後、外郭２４を回動させることにより、図６の扉を閉めた状態を示す斜視図に示すような外観上突出部が無く体裁が良い電気機器収納用箱体３０になる。
【００３０】
また、このような体裁が良いという外観上の特徴は、図７に示されるような、扉３３の正面に液晶やＬＥＤ発光体により表示部３４を設けた電気機器収納用箱体３５においては、特に効果が大きい。
【００３１】
以上詳細に説明したように、本発明の電気機器収納用箱体によれば、容易に扉を閉めることができ、また外観上、突出する部分がなく体裁も良好な電気機器収納用箱体を得ることができる。
【００３２】
（実施の形態２）
図８は、本発明の実施の形態２における電気機器収納用箱体に係る扉と本体の水密構造を示す要部断面図である。
【００３３】
図８に示されるように、本体３６の側端部に、扉３８に当接する面には、雨水浸入防止用のパッキン３７を備え、扉３８の内郭正面には、扉３８の鉛直方向に空いた丸穴を備えた軸受け３９と、軸受け３９の丸穴に嵌合し扉３８の鉛直方向に伸びた円柱状の軸４３と、軸４３と嵌合し扉３８の側面となる外郭４２を備え側面に部材４１を備えた可動部４０を備えている。
【００３４】
図９は図８の構成においての扉３８と本体３６の封鎖状態を示す要部断面図であり、図に示されるように、外郭４２を回転方向Ｅの方向に軸４３を回転軸として回動させると、可動部４０の部材４１が本体外郭面４４と接触する。さらに回動を続けると、扉３８が本体背面方向Ｆの方向に移動し、パッキン３７が圧縮され、扉３８により本体３６の開口部が封鎖される。その際、外郭４２と本体３６の側面４５は同一面上に位置する。さらに外郭４２を回動させ外郭４２が本体３６の側面４５と同一面より本体内側へ位置させる。
【００３５】
図１０は図９の状態における本発明の電気機器収納用箱体に係る扉と本体の封鎖状態を示す要部斜視図である。
【００３６】
図１０に示されるように、可動部４０は軸受け３９の上に配置され、軸４３の側面には突起部４６が設けられている。また、可動部４０には軸４３の突起部４６に相対する溝４７が設けられている。尚、溝４７は軸４３と可動部４０が接している面より下側の方が幅が広くなっている。
【００３７】
図１１は図１０の構成において軸受け３９と軸４３が嵌合し固定された封鎖完了状態を示す要部斜視図であり、可動部４０に設けた溝４７に軸４３の突起部４６が相対した状態で軸４３の自重により本体底面方向Ｈへ移動する。さらに、可動部４０が回動する力を取り除くとパッキン３７の圧縮時の反発力により可動部４０は図９で示した回転方向Ｅと逆の方向に回転し、可動部４０の溝４７の面４８と軸４３の突起部４６が接触し、可動部４０と軸４３が嵌合し固定される。その際、可動部４０の外郭４２は本体３６の側面４５と同一平面上に位置する。
【００３８】
かかる構成によれば、パッキン３７の圧縮時の反発力に対し、外郭４２の幅Ｇを大きくすることで軸４３を回転軸とした回転半径が大きくなり、小さな荷重でトルクを発生させパッキン３７を圧縮することができる。これにより容易に扉３８を閉めることが可能となり、また体裁も良好である。また、扉３８を開く際には外郭４２を回転方向Ｅに回転するよう回動させると同時に扉３８の底面に軸４３の延長線上に設けた穴４９より軸４３を本体天面方向Ｊの方向へ押し上げる。さらに外郭４２を図９で示した回転方向Ｅの方向に回動させることをやめ、外郭４２を押す力を取り除くと、パッキン３７の圧縮に対する反発力により外郭４２が回転方向Ｅと反対の方向に回動し扉３８を開くことができる。
【００３９】
以上説明したように、本発明の電気機器収納用箱体によれば、容易に扉を閉めることができ、また外観上、突出する部分がなく体裁も良好な電気機器収納用箱体を得ることができる。また、電気機器収納用箱体の運搬時の振動や屋外における風などによる振動により軸部と可動部の嵌合が解除されることが防止でき、扉が勝手に開いてしまうことを防ぐことができる。また、扉を開けるためには軸部の操作とさらに可動部の回動が同時に必要となるため、いたずら防止をすることが可能となる。
【産業上の利用可能性】
【００４０】
本発明にかかる電気機器収納用箱体は、体裁が良好でさらに扉への部品の取付スペースが拡大すると共に雨水浸入防止用のパッキンの反発力に対し扉を容易に閉めることができ、振動により扉が勝手に開いてしまうことを防ぎ、いたずら防止をすることが可能となる。また、小型の電気機器収納用箱体においても容易に扉の水密構造を実現することが可能となるので、屋内外に設置される配電盤、分電盤、制御盤、表示装置などの電気機器収納用箱体の雨水などから内部の電気回路を守るための扉の水密構造に有用である。
【図面の簡単な説明】
【００４１】
【図１】本発明の電気機器収納用箱体に係る扉と本体の水密構造を示す要部断面図
【図２】本発明の電気機器収納用箱体に係る扉と本体の封鎖状態を示す要部断面図
【図３】本発明の電気機器収納用箱体に係る扉と本体の封鎖状態を示す要部斜視図
【図４】本発明の電気機器収納用箱体に係る扉と本体の封鎖完了状態を示す要部斜視図
【図５】本発明の電気機器収納用箱体の扉を開けた状態を示す斜視図
【図６】本発明の電気機器収納用箱体の扉を閉めた状態を示す斜視図
【図７】本発明の表示部を備えた電気機器収納用箱体を示す斜視図
【図８】本発明の電気機器収納用箱体に係る扉と本体の水密構造を示す要部断面図
【図９】本発明の電気機器収納用箱体に係る扉と本体の封鎖状態を示す要部断面図
【図１０】本発明の電気機器収納用箱体に係る扉と本体の封鎖状態を示す要部斜視図
【図１１】本発明の電気機器収納用箱体に係る扉と本体の封鎖完了状態を示す要部斜視図
【図１２】従来の電気機器収納用箱体の斜視図
【符号の説明】
【００４２】
１３  電気機器収納用箱体
１４  扉
１５  平面ハンドル
１６  つまみ
１７  本体
１８  側面部
１９  本体
１９Ａ  本体外郭面
２１  パッキン
２２  軸受け
２３  軸
２４  外郭
２５  部材
２６  可動部
２７  側面
２８  突起部
２９  溝
３０  電気機器収納用箱体
３１  電気機器
３２  扉蝶番
３３  扉
３４  表示部
３５  電気機器収納用箱体
３６  本体
３７  パッキン
３８  扉
３９  軸受け
４０  可動部
４１  部材
４２  外郭
４３  軸
４４  本体外郭面
４５  側面
４６  突起部
４７  溝
４８  面
４９  穴
【図１】
2009055651.tif 000003
【図２】
2009055651.tif 000004
【図３】
2009055651.tif 000005
【図４】
2009055651.tif 000006
【図５】
2009055651.tif 000007
【図６】
2009055651.tif 000008
【図７】
2009055651.tif 000009
【図８】
2009055651.tif 000010
【図９】
2009055651.tif 000011
【図１０】
2009055651.tif 000012
【図１１】
2009055651.tif 000013
【図１２】
2009055651.tif 000014